(57)【要約】【課題】  コップをフックに掛けた時、コップが斜め下を向き、自然に水がはけ、ほこりも入らない、単純な形で使いやすく衛生的なコップを提供する。【解決手段】  開口部が下を向いて吊り下げられるように形成された持ち手を有するコップにおいて、この持ち手は、このコップの開口部が容易に上方に回転することを防止する回転防止部を形成したことを特徴とする。【選択図】  図２
2006223811.tif 000002
【特許請求の範囲】
【請求項１】
開口部が下を向いて吊り下げられるように形成された持ち手を有するコップにおいて、この持ち手は、このコップの開口部が容易に上方に回転することを防止する回転防止部を形成したことを特徴とするコップ。
【発明の詳細な説明】
【技術分野】
【０００１】この発明は、持ち手をフックに掛けた時、開口部が斜め下を向くコップに関するものである。
【背景技術】
【０００２】従来は、一般的な持ち手つきのコップや、コップが下向きになるように持ち手の膨らみ部分や持ち手の位置を下方に設置し、フックに掛けた時の重心の位置を開口部側にしたコップ、コップが下向きになるように持ち手の下部にフック用の穴を設けたコップがあった。（特許文献１）【特許文献１】特開２００４−０９７７５４号広報
【発明の開示】
【発明が解決しようとする課題】
【０００３】  これらには次のような欠点があった。（イ）図６に示すように、一般的なコップでは、コップをフックに掛けた時、開口部が斜め上を向くので水が残るとともにほこりが入りシミになることもあり、清潔ではないという欠点がある。（ロ）図７に示すように、フックに掛けた時、開口部が下を向くように、コップの開口部側に重心を移した物は、持った時にもコップが下向きになろうとする力が働くため、安定感がなく、中身をこぼしやすいという欠点がある。（ハ）図８に示すように、持ち手の下部に穴を設けた物では      ▲１▼フックを掛ける穴が小さく分かりにくい（特に高齢者において）      ▲２▼穴という限られた部分であるので、穴にフックを通す、穴からフックをはずすという行為が煩わしい。（特に高齢者において）      ▲３▼フックの太さによっては掛からない      ▲４▼穴の部分が洗いにくい    といった欠点がある。  本発明は、これらの問題点を解決するためになされたものである。
【課題を解決するための手段】
【０００４】  開口部が下を向いて吊り下げられるように形成された持ち手を有するコップにおいて、この持ち手は、このコップの開口部が容易に上方に回転することを防止する回転防止部を形成したことを特徴とする。
【発明の効果】
【０００５】  本発明を使用することによって、コップの開口部が下を向くので自然に水がはけ、衛生的である。コップを下に向けるための持ち手によるの重心の移動の必要がないので、持った時安定した形を自由に作り出すことができる。また、持ち手に形成されたフックを掛ける部分に、仕切りがなく、開放されているため、持ち手の形が単純化でき、      ▲１▼持ち手のどの部分でフックに掛けてもそのままフックが掛かる場所に移動できるので掛け易い      ▲２▼汚れが溜まらず、洗い易い      ▲３▼どのような素材、形状のコップにも使用できる      ▲４▼機能性と審美性をあわせ持ったデザインの可能性が広がる  という効果が得られ、課題を解決する。
【発明を実施するための最良の形態】
【０００６】  コップ本体（１）の持ち手（２）の下部に屈曲部（３）を形成し、湾曲した引っ掛け部（４）を形成する。コップ本体（１）の持ち手（２）とフックが掛かる部分が交わる屈曲角度（５）は９０度以下が望ましい。これは図１に示すようにフックがもち手上部にずれる事を防止する部分を形成するためである。なお、図３に示すように持ち手がコップの側面と平行の場合は屈曲角度（５）は９０度より大きくてかまわない。また、フックがずれる事を防止する部分の形成のための手段として、図４に示すように突起部（６）を設けることもできる。また、図５に示すように突起部は飾りとして機能させることもできる。本発明は以上の構成より成る。本発明を使用するときは、引っ掛け部（４）をフックに掛ける。持ち手の他の場所にフックを掛けても引っ掛け部（４）までそのままスライドさせればよい。これにより、図２に示すように、コップは自然に斜め下を向き、安定する。
【図面の簡単な説明】
【０００７】
【図１】本発明の斜視図
【図２】本発明の使用状態を示す斜視図
【図３】本発明の実施例を示す斜視図
【図４】本発明の実施例を示す斜視図
【図５】本発明の実施例を示す斜視図
【図６】従来品の使用状態を示す斜視図
【図７】従来品の使用状態を示す斜視図
【図８】従来品の使用状態を示す斜視図
【符号の説明】
【０００８】１コップ本体２持ち手３屈曲部４引っ掛け部５屈曲角度６突起部
【図１】
2006223811.tif 000003
【図２】
2006223811.tif 000004
【図３】
2006223811.tif 000005
【図４】
2006223811.tif 000006
【図５】
2006223811.tif 000007
【図６】
2006223811.tif 000008
【図７】
2006223811.tif 000009
【図８】
2006223811.tif 000010
【手続補正書】
【提出日】平成17年4月26日(2005.4.26)
【手続補正１】
【補正対象書類名】明細書
【補正対象項目名】０００３
【補正方法】変更
【補正の内容】
【０００３】      これらには次のような欠点があった。（イ）図５に示すように、一般的なコップでは、コップをフックに掛けた時、開口部が斜め上を向くので水が残るとともにほこりが入りシミになることもあり、清潔ではないという欠点がある。（ロ）図６に示すように、フックに掛けた時、開口部が下を向くように、コップの開口部側に重心を移した物は、持った時にもコップが下向きになろうとする力が働くため、安定感がなく、中身をこぼしやすいという欠点がある。（ハ）図７に示すように、持ち手の下部に穴を設けた物では        ▲１▼フックを掛ける穴が小さく分かりにくい（特に高齢者において）        ▲２▼穴という限られた部分であるので、穴にフックを通す、穴からフックをは              ずすという行為が煩わしい。（特に高齢者において）        ▲３▼フックの太さによっては掛からない        ▲４▼穴の部分が洗いにくい      といった欠点がある。  本発明は、これらの問題点を解決するためになされたものである。
【手続補正２】
【補正対象書類名】明細書
【補正対象項目名】０００６
【補正方法】変更
【補正の内容】
【０００６】図１に示すように、コップ本体（１）の持ち手（２）の下部に屈曲部（３）を形成し、湾曲した引っ掛け部（４）を形成する。コップ本体（１）の持ち手（２）と引っ掛け部（４）が交わる屈曲部はフックがもち手上部にずれる事を防止する部分である。また、フックがずれる事を防止する部分の形成のための手段として、図３に示すように突起部（５）を設けることもできる。また、図４に示すように突起部（５）や引っ掛け部（４）は飾りとして機能させることもできる。本発明は以上の構成より成る。  本発明を使用するときは、引っ掛け部（４）をフックに掛ける。持ち手の他の場所にフックを掛けても引っ掛け部（４）までそのままスライドさせればよい。これにより、図２に示すように、コップは自然に斜め下を向き、安定する。
【手続補正３】
【補正対象書類名】明細書
【補正対象項目名】０００７
【補正方法】変更
【補正の内容】
【０００７】
【図１】本発明の斜視図
【図２】本発明の使用状態を示す斜視図
【図３】本発明の実施例を示す斜視図
【図４】本発明の実施例を示す斜視図
【図５】従来品の使用状態を示す斜視図
【図６】従来品の使用状態を示す斜視図
【図７】従来品の使用状態を示す斜視図
【手続補正４】
【補正対象書類名】明細書
【補正対象項目名】０００８
【補正方法】変更
【補正の内容】
【０００８】１コップ本体２持ち手３屈曲部４引っ掛け部５突起部
【手続補正５】
【補正対象書類名】図面
【補正対象項目名】全図
【補正方法】変更
【補正の内容】
【図１】
2006223811.tif 000011
【図２】
2006223811.tif 000012
【図３】
2006223811.tif 000013
【図４】
2006223811.tif 000014
【図５】
2006223811.tif 000015
【図６】
2006223811.tif 000016
【図７】
2006223811.tif 000017